(57)【要約】【課題】ユーザのニーズにあったデフォルメ地図を作成するために、複数のユーザで地図デフォルメパターンを共有する地図デフォルメパターン共有装置及び方法並びにその装置及び方法を用いたデフォルメ地図作成装置、システム及び方法を提供すること。【解決手段】地図デフォルメパターン共有装置２００は、電子地図を構成する複数の地図構成要素の中から、デフォルメ地図を構成する地図構成要素群を抽出する条件を地図デフォルメパターンとして、パターン作成端末１００−１から受信するパターン受信手段２１０と、パターン受信手段２１０にて受信した地図デフォルメパターンを記憶するデフォルメパターン記憶手段２２０と、デフォルメパターン記憶手段２２０に記憶された地図デフォルメパターンをパターン利用端末１００−２からの要求に応じて、提供する提供手段２１４と、を備える。【選択図】図１
2010044302.tif 000002
【特許請求の範囲】
【請求項１】
複数のクライアント端末と通信ネットワークを介して接続され、クライアント端末から受信した地図デフォルメパターンを他のクライアント端末に対して提供する地図デフォルメパターン共有装置であって、
電子地図を構成する複数の地図構成要素の中から、デフォルメ地図を構成する地図構成要素群を抽出する条件を地図デフォルメパターンとして、クライアント端末から受信するパターン受信手段と、
前記パターン受信手段にて受信した地図デフォルメパターンを記憶するデフォルメパターン記憶手段と、
前記デフォルメパターン記憶手段に記憶された地図デフォルメパターンを他のクライアント端末からの要求に応じて、提供する提供手段と、
を備える地図デフォルメパターン共有装置。
【請求項２】
前記地図デフォルメパターンは、前記地図構成要素の前記電子地図上における位置、および前記地図構成要素の属性情報の少なくとも１つから構成される請求項１に記載の地図デフォルメパターン共有装置。
【請求項３】
複数のクライアント端末と通信ネットワークを介して接続され、クライアント端末から受信した地図デフォルメパターンを他のクライアント端末に対して提供する地図デフォルメパターン共有方法であって、
電子地図を構成する複数の地図構成要素の中から、デフォルメ地図を構成する地図構成要素群を抽出する条件を地図デフォルメパターンとして、クライアント端末から受信するステップと、
受信した前記地図デフォルメパターンを記憶するステップと、
記憶された前記地図デフォルメパターンを他のクライアント端末からの要求に応じて、提供するステップと、
を含む地図デフォルメパターン共有方法。
【請求項４】
通信ネットワークを介して事業者端末と、クライアント端末と接続され、事業者端末のユーザからの指示に従って作成したデフォルメ地図を前記クライアント端末に対して提供するデフォルメ地図作成装置であって、
電子地図を構成する複数の地図構成要素の中から、デフォルメ地図を構成する地図構成要素群を抽出する条件を地図デフォルメパターンとして記憶するデフォルメパターン記憶手段と、
前記事業者端末のユーザにて選択された前記電子地図の一部分である部分電子地図の地図情報を前記事業者端末から受信する地図選択受信手段と、
前記デフォルメパターン記憶手段に記憶されている地図デフォルメパターンのうち、前記事業者端末のユーザにて選択された前記地図デフォルメパターンを前記事業者端末から受信するパターン選択受信手段と、
受信した前記地図デフォルメパターンに基づいて、受信した前記地図情報からデフォルメ地図を作成するデフォルメ地図作成手段と、
前記デフォルメ地図作成手段にて作成されたデフォルメ地図を記憶するデフォルメ地図記憶手段と、
前記デフォルメ地図記憶手段に記憶されているデフォルメ地図を、前記クライアント端末からの要求に応じて、送信する地図送信手段と、
を備えるデフォルメ地図作成装置。
【請求項５】
前記地図デフォルメパターンは、前記地図構成要素の前記電子地図上における位置、および前記地図構成要素の属性情報の少なくとも１つから構成される請求項４に記載のデフォルメ地図作成装置。
【請求項６】
前記地図選択受信手段、または前記パターン選択受信手段のいずれか一方が前記事業者端末から前記事業者端末の事業者を識別する事業者識別情報を受信し、
前記デフォルメ地図記憶手段は、前記デフォルメ地図作成手段にて作成されたデフォルメ地図に対して、前記事業者識別情報と、前記地図情報と、前記地図デフォルメパターンとを対応付けて記憶する請求項４または請求項５のいずれか１項に記載のデフォルメ地図作成装置。
【請求項７】
更に、電子地図を構成する複数の地図構成要素の中から、デフォルメ地図を構成する地図構成要素群を抽出する条件を地図デフォルメパターンとして、前記クライアント端末から受信するパターン受信手段と、
前記パターン受信手段にて受信した地図デフォルメパターンを記憶するデフォルメパターン記憶手段と、
を備える請求項４から請求項６のいずれか１項に記載のデフォルメ地図作成装置。
【請求項８】
通信ネットワークを介して事業者端末と、クライアント端末と接続され、事業者端末のユーザからの指示に従って作成したデフォルメ地図を前記クライアント端末に対して提供するデフォルメ地図作成システムであって、
電子地図を構成する複数の地図構成要素の中から、デフォルメ地図を構成する地図構成要素群を抽出する条件を地図デフォルメパターンとして記憶するデフォルメパターン記憶手段と、
前記事業者端末のユーザにて選択された前記電子地図の一部分である部分電子地図の地図情報を前記事業者端末から受信する地図選択受信手段と、
前記地図デフォルメパターンのうち、前記事業者端末のユーザにて選択された前記地図デフォルメパターンを前記事業者端末から受信するパターン選択受信手段と、
受信した前記地図デフォルメパターンに基づいて、受信した前記地図情報からデフォルメ地図を作成するデフォルメ地図作成手段と、
作成された前記デフォルメ地図を記憶するデフォルメ地図記憶手段と、
記憶された前記デフォルメ地図を、前記クライアント端末からの要求に応じて、送信する地図送信手段と、
を備えるデフォルメ地図作成システム。
【請求項９】
通信ネットワークを介して事業者端末と、クライアント端末と接続され、事業者端末のユーザからの指示に従って作成したデフォルメ地図を前記クライアント端末に対して提供するデフォルメ地図作成方法であって、
電子地図を構成する複数の地図構成要素の中から、デフォルメ地図を構成する地図構成要素群を抽出する条件を地図デフォルメパターンとして記憶するステップと、
前記事業者端末のユーザにて選択された前記電子地図の一部分である部分電子地図の地図情報を前記事業者端末から受信するステップと、
前記地図デフォルメパターンのうち、前記事業者端末のユーザにて選択された前記地図デフォルメパターンを前記事業者端末から受信するステップと、
受信した前記地図デフォルメパターンに基づいて、受信した前記地図情報からデフォルメ地図を作成するステップと、
作成された前記デフォルメ地図を記憶するステップと、
記憶された前記デフォルメ地図を、前記クライアント端末からの要求に応じて、送信するステップと、
を含むデフォルメ地図作成方法。
【発明の詳細な説明】
【技術分野】
【０００１】
本発明は、地図デフォルメパターンを複数のクライアント端末に共有させる地図デフォルメパターン共有方法、およびその方法を用いたデフォルメ地図作成装置に関する。
【背景技術】
【０００２】
近年、カーナビやインターネット上で無料で見られる電子地図（以下、簡略化のため地図という）が普及している。地図には多くの情報が含まれているが、全てがユーザにとって必要な情報とは限らず、むしろ、不要な情報の方が多いこともある。そのため、地図から必要な情報をユーザ自身が取捨選択しなければならないという不便があった。
【０００３】
そこで、ユーザにとって必要な情報を損なわない程度に、道路の形状を変形したり、不要情報を削除する等のデフォルメ処理をしたデフォルメ地図を自動的に生成する技術が多く提案されており、例えば特許文献１等が挙げられる。
【特許文献１】特開平１０−７４０４２号公報
【発明の開示】
【発明が解決しようとする課題】
【０００４】
上述したように、地図からデフォルメ地図を作成する技術は多く提案されている。しかし、いずれの提案においても、デフォルメ地図を作成する際に、地図に含まれるどの情報を削除するか、または、どの情報を抽出するかはユーザによって異なるという課題がある。そこで、ユーザのニーズに応じたデフォルメ地図を作成するためには、地図に含まれるどの情報を削除するか、または、どの情報を抽出するかを定義した地図デフォルメパターンを複数のユーザに流通させる、言い換えると、複数のユーザで共有することが必要である。
【０００５】
そこで、本発明は上記課題に鑑み、ユーザのニーズにあったデフォルメ地図を作成するために、複数のユーザで地図デフォルメパターンを共有する地図デフォルメパターン共有方法、およびその方法を用いたデフォルメ地図作成装置を提供することを目的とする。
【課題を解決するための手段】
【０００６】
本発明では、以下のような解決手段を提供する。
【０００７】
（１）複数のクライアント端末と通信ネットワークを介して接続され、クライアント端末から受信した地図デフォルメパターンを他のクライアント端末に対して提供する地図デフォルメパターン共有装置であって、電子地図を構成する複数の地図構成要素の中から、デフォルメ地図を構成する地図構成要素群を抽出する条件を地図デフォルメパターンとして、クライアント端末から受信するパターン受信手段と、前記パターン受信手段にて受信した地図デフォルメパターンを記憶するデフォルメパターン記憶手段と、前記デフォルメパターン記憶手段に記憶された地図デフォルメパターンを他のクライアント端末からの要求に応じて、提供する提供手段と、を備える地図デフォルメパターン共有装置。
【０００８】
（１）の構成によれば、複数のクライアント端末と通信ネットワークを介して接続されている地図デフォルメパターン共有装置は、ユーザが作成した地図デフォルメパターンはデフォルメパターン記憶手段に記憶され、他のユーザの要求に応じデフォルメパターン記憶手段に記憶されている地図デフォルメパターンを提供することができる。
【０００９】
それにより、ユーザが作成した地図デフォルメパターンを他のユーザが共有することができる。つまり、ユーザはニーズに応じた地図デフォルメパターンを取得することができる。その結果、様々な地図デフォルメパターンをネットワーク上で流通させることにより、ユーザはニーズに合ったデフォルメ地図を作成することが可能になる。
【００１０】
ここで、地図構成要素とは、地球上の自然や人工の地物（建物、道路、線路、畑等）といった電子地図を構成する構成要素である。地図デフォルメパターンとは、電子地図を構成する複数の地図構成要素の中から、デフォルメ地図を構成する地図構成要素群に不要な地図構成要素を削除する条件、または、デフォルメ地図を構成する地図構成要素群を抽出する条件であり、地図デフォルメパターンに従って地図からデフォルメ地図が作成される。
【００１１】
（２）前記地図デフォルメパターンは、前記地図構成要素の前記電子地図上における位置、および前記地図構成要素の属性情報の少なくとも１つから構成される（１）に記載の地図デフォルメパターン共有装置。
【００１２】
（２）の構成によれば、地図構成要素の電子地図上における位置、および地図構成要素の属性情報の少なくとも１つを条件とすることにより、ユーザが容易に不要な地図構成要素や必要な地図構成要素を特定し、地図デフォルメパターンを作成することができる。ここで、地図構成要素の属性情報とは、地図構成要素に関する情報であり、例えば、地図構成要素の名称、種別である。
【００１３】
（３）複数のクライアント端末と通信ネットワークを介して接続され、クライアント端末から受信した地図デフォルメパターンを他のクライアント端末に対して提供する地図デフォルメパターン共有方法であって、電子地図を構成する複数の地図構成要素の中から、デフォルメ地図を構成する地図構成要素群を抽出する条件を地図デフォルメパターンとして、クライアント端末から受信するステップと、受信した前記地図デフォルメパターンを記憶するステップと、記憶された前記地図デフォルメパターンを他のクライアント端末からの要求に応じて、提供するステップと、を含む地図デフォルメパターン共有方法。
【００１４】
（４）通信ネットワークを介して事業者端末と、クライアント端末と接続され、事業者端末のユーザからの指示に従って作成したデフォルメ地図を前記クライアント端末に対して提供するデフォルメ地図作成装置であって、電子地図を構成する複数の地図構成要素の中から、デフォルメ地図を構成する地図構成要素群を抽出する条件を地図デフォルメパターンとして記憶するデフォルメパターン記憶手段と、前記事業者端末のユーザにて選択された前記電子地図の一部分である部分電子地図の地図情報を前記事業者端末から受信する地図情報受信手段と、前記デフォルメパターン記憶手段に記憶されている地図デフォルメパターンのうち、前記事業者端末のユーザにて選択された前記地図デフォルメパターンを前記事業者端末から受信する地図デフォルメパターン受信手段と、受信した前記地図デフォルメパターンに基づいて、受信した前記地図情報からデフォルメ地図を作成するデフォルメ地図作成手段と、前記デフォルメ地図作成手段にて作成されたデフォルメ地図を記憶するデフォルメ地図記憶手段と、前記デフォルメ地図記憶手段に記憶されているデフォルメ地図を、クライアント端末からの要求に応じて、送信する地図送信手段と、を備えるデフォルメ地図作成装置。
【００１５】
（４）の構成によれば、事業者端末のユーザが、部分電子地図と、デフォルメパターン記憶手段に記憶されている地図デフォルメパターンを選択したことに応じて、デフォルメ地図作成装置は、デフォルメ地図を作成する。作成されたデフォルメ地図はデフォルメ地図作成装置のデフォルメ地図記憶手段に記憶され、クライアント端末より取得要求がなされると送信される。
【００１６】
デフォルメパターン記憶手段から使用する地図デフォルメパターンを選択できることにより、事業者端末のユーザは地図デフォルメパターンを作成することなしに、自身のニーズに合ったデフォルメ地図を作成することができる。また、地図デフォルメパターンと部分電子地図とを別々に選択することができることにより、部分電子地図が異なっても地図デフォルメパターンが同じであれば、同コンセプトのデフォルメ地図を作成することができる。
【００１７】
（５）前記地図デフォルメパターンは、前記地図構成要素の前記電子地図上における位置、および前記地図構成要素の属性情報の少なくとも１つから構成される（４）に記載のデフォルメ地図作成装置。
【００１８】
（５）の構成によれば、地図構成要素の電子地図上における位置、および地図構成要素の属性情報の少なくとも１つを条件とすることにより、デフォルメ地図作成する際に元の電子地図から削除する地図構成要素、または、デフォルメ地図に表示する地図構成要素を地図構成要素の電子地図上における位置、および地図構成要素の属性情報の少なくとも１つにて指定することができる。それにより、ユーザは容易にデフォルメ地図作成する際に元の電子地図から削除する地図構成要素、または、デフォルメ地図に表示する地図構成要素を指定することができる。
【００１９】
（６）前記地図選択受信手段、または前記パターン選択受信手段のいずれか一方が前記事業者端末から前記事業者端末の事業者を識別する事業者識別情報を受信し、前記デフォルメ地図記憶手段は、前記デフォルメ地図作成手段にて作成されたデフォルメ地図に対して、前記事業者識別情報と、受信した前記地図情報と前記地図デフォルメパターンとを対応付けて記憶する（４）または（５）のいずれか１項に記載のデフォルメ地図作成装置。
【００２０】
（６）の構成によれば、デフォルメ地図に事業者識別情報と、地図情報と、前記地図デフォルメパターンとを対応付けて記憶することにより、事業者が以前に作成したデフォルメ地図がどの地図に対してどの地図デフォルメパターンを用いて作成したものかを知ることができる。それにより、別途、デフォルメ地図を作る際に、同じ地図デフォルメパターンを用いることができ、以前に作成したデフォルメ地図と同コンセプトのデフォルメ地図を新たに作成することができる。
【００２１】
（７）更に、電子地図を構成する複数の地図構成要素の中から、デフォルメ地図を構成する地図構成要素群を抽出する条件を地図デフォルメパターンとして、前記クライアント端末から受信するパターン受信手段と、
前記パターン受信手段にて受信した地図デフォルメパターンを記憶するデフォルメパターン記憶手段と、
を備える（４）から（６）のいずれか１項に記載のデフォルメ地図作成装置。
【００２２】
（６）の構成によれば、デフォルメパターン記憶手段に記憶される地図デフォルメパターンを、複数のユーザと共有することができる。
【００２３】
（８）通信ネットワークを介して事業者端末と、クライアント端末と接続され、事業者端末のユーザからの指示に従って作成したデフォルメ地図を前記クライアント端末に対して提供するデフォルメ地図作成システムであって、
電子地図を構成する複数の地図構成要素の中から、デフォルメ地図を構成する地図構成要素群を抽出する条件を地図デフォルメパターンとして記憶するデフォルメパターン記憶手段と、
前記事業者端末のユーザにて選択された前記電子地図の一部分である部分電子地図の地図情報を前記事業者端末から受信する地図選択受信手段と、
前記地図デフォルメパターンのうち、前記事業者端末のユーザにて選択された前記地図デフォルメパターンを前記事業者端末から受信するパターン選択受信手段と、
受信した前記地図デフォルメパターンに基づいて、受信した前記地図情報からデフォルメ地図を作成するデフォルメ地図作成手段と、
作成された前記デフォルメ地図を記憶するデフォルメ地図記憶手段と、
記憶された前記デフォルメ地図を、前記クライアント端末からの要求に応じて、送信する地図送信手段と、
を備えるデフォルメ地図作成システム。
【００２４】
（９）通信ネットワークを介して事業者端末と、クライアント端末と接続され、事業者端末のユーザからの指示に従って作成したデフォルメ地図を前記クライアント端末に対して提供するデフォルメ地図作成方法であって、
電子地図を構成する複数の地図構成要素の中から、デフォルメ地図を構成する地図構成要素群を抽出する条件を地図デフォルメパターンとして記憶するステップと、
前記事業者端末のユーザにて選択された前記電子地図の一部分である部分電子地図の地図情報を前記事業者端末から受信するステップと、
前記地図デフォルメパターンのうち、前記事業者端末のユーザにて選択された前記地図デフォルメパターンを前記事業者端末から受信するステップと、
受信した前記地図デフォルメパターンに基づいて、受信した前記地図情報からデフォルメ地図を作成するステップと、
作成された前記デフォルメ地図を記憶するステップと、
記憶された前記デフォルメ地図を、クライアント端末からの要求に応じて、送信するステップと、
を含むデフォルメ地図作成方法。
【発明の効果】
【００２５】
本発明によれば、ユーザのニーズにあったデフォルメ地図を作成するために、複数のユーザで地図デフォルメパターンを共有する地図デフォルメパターン共有方法、およびその方法を用いたデフォルメ地図作成装置を提供することができる。
【発明を実施するための最良の形態】
【００２６】
以下、本発明の実施形態について図を参照しながら説明する。
【００２７】
［第１実施形態］
（システムの概要）
図１は、本発明の第１実施形態に係る地図デフォルメパターン共有装置２００（以下、「共有装置２００」という）を示す概略図である。図１に示すように、共有装置２００は、２台のクライアント端末１００−１、１００−２と通信ネットワークを介して接続されている。図では２台のクライアント端末のうち、一方のクライアント端末をパターン作成端末１００−１、他方のクライアント端末をパターン利用端末１００−２とする。
【００２８】
パターン作成端末１００−１は、パターン作成端末１００−１のユーザがキーボード等の入力手段（図示せず）にて入力した地図デフォルメパターンを、ネットワークを介して共有装置２００に送信する機能を有する。地図デフォルメパターンは、例えば、共有装置２００からパターン作成端末１００−１に提供される地図デフォルメパターン設定画面にパターン作成端末１００−１のユーザが入力した内容に基づいて作成される。地図デフォルメパターン設定画面は、地図を構成する複数の地図構成要素の中から、デフォルメ地図を構成する地図構成要素群に不要な地図構成要素を削除する条件、または、デフォルメ地図を構成する地図構成要素群を抽出する条件を入力できるようになっている。具体的には、抽出する地図構成要素の名称や種別を入力する欄、曲がり角の建物を表示するかしないかや経路を表示する地図において、経路から経路の１／４の長さ分の範囲内を表示するかしないかのチェックボックス等が設けられている。
【００２９】
パターン利用端末１００−２は、パターン利用端末１００−２のユーザがキーボード等の入力手段（図示せず）にて入力した地図デフォルメパターン取得要求を共有装置２００に送信し、ネットワークを介して共有装置２００に記憶されている地図デフォルメパターンを受信する。
【００３０】
共有装置２００は、地図デフォルメパターンを複数のクライアント端末にて共有するための機能を有し、パターン受信手段２１０、パターン登録手段２１１、要求受信手段２１２、パターン取得手段２１３、提供手段２１４、およびデフォルメパターン記憶手段２２０を備える。パターン受信手段２１０は、パターン作成端末１００−１から地図デフォルメパターンを受信し、パターン登録手段２１１に送信する。パターン登録手段２１１は、パターン受信手段２１０から受信した地図デフォルメパターンを識別するためのパターンＩＤを発行し、パターンＩＤと地図デフォルメパターンとを関連付けてデフォルメパターン記憶手段２２０に登録する。デフォルメパターン記憶手段２２０については後述する。
【００３１】
要求受信手段２１２は、パターン利用端末１００−２から地図デフォルメパターン取得要求を受け付け、取得要求をパターン取得手段２１３に送信する。取得要求には、ユーザが指定した地図デフォルメパターンを特定するパターンＩＤを含んでもよい。パターン取得手段２１３は、要求受信手段２１２から取得要求を受信すると、デフォルメパターン記憶手段２２０から地図デフォルメパターンを取得し、取得した地図デフォルメパターンを提供手段２１４に送信する。取得要求に地図デフォルメパターンを特定するパターンＩＤを含む場合には、パターンＩＤに対応する地図デフォルメパターンを取得する。一方、含まない場合には、デフォルメパターン記憶手段２２０に登録されている全ての地図デフォルメパターンを表示する。提供手段２１４は、パターン取得手段２１３から受信した地図デフォルメパターンをパターン利用端末１００−２に送信する。
【００３２】
（デフォルメパターン記憶手段）
図２は、各実施形態に係るデフォルメパターン記憶手段２２０に格納されるデフォルメパターンテーブルの一例を示す図である。デフォルメパターン記憶手段２２０は、パターン作成端末１００−１にて入力されたデフォルメパターンをパターンＩＤに関連付けて記憶する。デフォルメパターンテーブルは、パターンＩＤ欄２２１ａと、デフォルメパターン欄２２１ｂと、内容欄２２１ｃとを有する。なお、ここに示した項目は例示であり、その他の項目を有してもよい。
【００３３】
パターンＩＤ欄２２１ａには、地図デフォルメパターンを一意に示す記号が格納される。この記号は、パターン登録手段２１１が地図デフォルメパターンをデフォルメパターン記憶手段２２０に登録する際に適宜付与する。
【００３４】
デフォルメパターン欄２２１ｂには、デフォルメ地図を作成する際に残す地図構成要素が格納される。つまり、この情報に基づいて、地図から不要な地図構成要素が削除され、デフォルメ地図が作成される。例えば、ＩＤ＝１においては、ユーザが出発点と到達点を設定して得られた経路と、その経路の曲がり角の建物情報とがデフォルメ地図に表示される地図構成要素であることがわかる。
【００３５】
内容欄２２１ｃには、地図デフォルメパターンの内容が格納される。地図デフォルメパターンの内容は、例えば、パターン作成端末１００−１に提供された地図デフォルメパターン設定画面に入力された内容から作成される。また、内容欄２２１ｃに格納する情報を入力する欄を地図デフォルメパターン設定画面に設け、ユーザに入力させてもよい。内容欄２２１ｃに格納された情報は、パターン利用端末１００−２のユーザに地図デフォルメパターンを提供する際に、地図デフォルメパターンの説明として提供することができる。複数の地図デフォルメパターンが提示された際に、ユーザは説明を見て地図デフォルメパターンを選択することができる。
【００３６】
図３（ａ）は、本発明の第１実施形態に係る地図デフォルメパターン登録処理のフローチャートである。
Ｓ１００：パターン受信手段２１０は、パターン作成端末１００−１にて入力された地図デフォルメパターンを、パターン作成端末１００−１から受信する。
Ｓ１１０：パターン登録手段２１１は、地図デフォルメパターンに対してパターンＩＤを発行する。
Ｓ１２０：パターン登録手段２１１は、ステップＳ１１０にて発行されたパターンＩＤに地図デフォルメパターンを対応付けてデフォルメパターン記憶手段２２０に登録する。
【００３７】
図３（ｂ）は、本発明の第１実施形態に係る地図デフォルメパターン取得処理のフローチャートである。
Ｓ１５０：要求受信手段２１２は、パターン利用端末１００−２から地図デフォルメパターン取得要求を受け付ける。
Ｓ１６０：パターン取得手段２１３は、デフォルメパターン記憶手段２２０から地図デフォルメパターンを取得する。具体的には、パターンＩＤ欄２２１ａと、デフォルメパターン欄２２１ｂと、内容欄２２１ｃとに格納されている情報を取得する。
Ｓ１７０：提供手段２１４は、ステップＳ１６０にて取得した地図デフォルメパターンをパターン利用端末１００−２へ送信する。
【００３８】
このように、共有装置２００を用いることにより、デフォルメ地図を作成する際に用いる地図デフォルメパターンを複数のユーザにて共有することができる。その結果、ユーザは、複数の地図デフォルメパターンの中から自分のニーズに合った地図デフォルメパターンを選択することができ、自分のニーズに合ったデフォルメ地図を作成することができる。
【００３９】
［第２実施形態］
第２の実施形態では、第１の実施形態の地図デフォルメパターン共有装置２００の各手段を備え、それら各手段によりユーザに提供される地図デフォルメパターンを用いて、デフォルメ地図を作成するデフォルメ地図作成装置３００について説明する。なお、以下で説明する点以外は、前述の第１の実施形態と同様である。また、以下の説明および図面において、第１の実施形態と同様の機能を果たす部分には、同一の符号をつけて、重複する説明を適宜省略する。
【００４０】
（システムの概要）
図４は、本発明の第２実施形態に係るデフォルメ地図作成装置３００（以下、「作成装置３００」という）を示す概略図である。図４に示すように、作成装置３００は、２台のクライアント端末１００−１、１００−４と、事業者端末１００−３と通信ネットワークを介して接続されている。図では２台のクライアント端末のうち、クライアント端末１００−４を地図閲覧端末１００−４とする。
【００４１】
事業者端末１００−３は、入力手段（図示せず）からの地図デフォルメパターンと部分地図の情報とを作成装置３００に送信して、作成装置３００にデフォルメ地図を作成させる端末である。部分地図の情報とは、事業者端末１００−３のディスプレイ等に表示されている地図の表示範囲を示す情報をいい、具体的には、ディスプレイ等に表示されている地図の表示範囲を表す緯度経度や座標であり、地図の表示範囲が四角形であれば、その４隅の緯度経度や座標である。
【００４２】
地図閲覧端末１００−４は、デフォルメ地図取得要求を作成装置３００に送信して、作成装置３００に記憶されているデフォルメ地図を取得し、ディスプレイ等の出力手段（図示せず）に表示する。具体的には、地図閲覧端末１００−４のユーザがデフォルメ地図が添付されたＷｅｂページを閲覧しようとすると、地図閲覧端末１００−４は、デフォルメ地図取得要求を作成装置３００に行い、作成装置３００に記憶されているデフォルメ地図を取得し、Ｗｅｂページにデフォルメ地図が添付されてディスプレイ等に表示する。
【００４３】
作成装置３００は、地図デフォルメパターンをユーザ間で共有させる機能を有する共有制御手段３０１と、ユーザにて指示された地図デフォルメパターンと部分地図の情報とに基づいてデフォルメ地図を作成し、提供する機能を有する作成制御手段３０２を備える。共有制御手段３０１は、地図デフォルメパターン共有装置２００の各手段を備える。作成制御手段３０２は、地図選択受信手段３１０、パターン選択受信手段３１１、デフォルメ地図作成手段３１２、地図要求受信手段３１３、地図取得手段３１４、および地図送信手段３１５、地図情報記憶手段３３０、およびデフォルメ地図記憶手段３４０を備える。
【００４４】
地図選択受信手段３１０は、事業者端末１００−３からデフォルメ地図を作成する部分地図の地図情報を受信し、部分地図の地図情報をパターン選択受信手段３１１を介して、デフォルメ地図作成手段３１２へ送信する。地図選択受信手段３１０は、部分地図の地図情報とあわせて、事業者端末１００−３を有する事業者の事業者識別情報として事業者ＩＤを受信し、パターン選択受信手段３１１を介して、デフォルメ地図作成手段３１２へ送信する。なお、部分地図の地図情報および事業者ＩＤをパターン選択受信手段３１１を介して受信し、部分地図の地図情報をデフォルメ地図作成手段３１２へ直接送信してもよい。
【００４５】
パターン選択受信手段３１１は、地図選択受信手段３１０を介して事業者端末１００−３のユーザが選択した地図デフォルメパターンのパターンＩＤを受信し、デフォルメ地図作成手段３１２へ送信する。なお、パターンＩＤを事業者端末１００−３から直接受信し、地図選択受信手段３１０を介してデフォルメ地図作成手段３１２へ送信してもよい。
【００４６】
デフォルメ地図作成手段３１２は、地図選択受信手段３１０から取得した部分地図の地図情報に基づいて、地図情報記憶手段３２０から部分地図を構成する地図構成要素の情報を取得し、パターン選択受信手段３１１から受信したパターンＩＤに基づいて、デフォルメパターン記憶手段２２０から地図デフォルメパターンを取得する。そして、取得した部分地図を構成する地図構成要素の情報から地図デフォルメパターンにて指定された地図構成要素の情報を削除して、デフォルメ地図を作成する。
【００４７】
また、デフォルメ地図作成手段３１２は、作成したデフォルメ地図を識別するために発行した地図ＩＤに関連付けて、取得した部分地図の地図情報と、取得したパターンＩＤと、作成したデフォルメ地図と、事業者ＩＤとを、デフォルメ地図記憶手段３４０に登録する。
【００４８】
地図要求受信手段３１３は、地図閲覧端末１００−４から地図取得要求を受信し、地図取得要求を地図取得手段３１４に送信する。地図取得要求には、取得するデフォルメ地図を特定する情報である地図ＩＤが含まれている。地図取得手段３１４は、地図要求受信手段３１３から受信した地図取得要求に含まれる取得するデフォルメ地図を特定する情報に基づいて、デフォルメ地図記憶手段３４０からデフォルメ地図を取得する。地図送信手段２１５は、地図取得手段３１４にて取得したデフォルメ地図を地図閲覧端末１００−４へ送信する。
【００４９】
地図情報記憶手段３３０に格納される地図情報テーブルは、地図構成要素である建物や道路等の情報を格納している。具体的には、地図中に存在する建物等を示す図形の位置情報や形状情報、並びにその図形に付与されている属性、および道路のネットワークをあらわすリンク、並びにノードデータを格納している。地図情報テーブルは専用に作成した情報ではなく、地図検索サイト用やナビゲーションシステム用等に用いるために作成された一般的な情報であって構わない。地図中に存在する建物等を示す図形に付与されている属性には、ＡビルやＢ公園といったその図形の名称や、飲食店や駅といったその図形の種別等が含まれる。
【００５０】
図５は、第２実施形態に係るデフォルメ地図記憶手段３４０に格納されるデフォルメ地図テーブルの一例を示す図である。デフォルメ地図テーブルは、デフォルメ地図作成手段３１２にて作成されたデフォルメ地図に関する情報を格納する。具体的には、デフォルメ地図テーブルは、地図ＩＤ欄３４１ａと、事業者ＩＤ欄３４１ｂと、部分地図欄３４１ｃと、パターンＩＤ欄３４１ｄと、デフォルメ地図欄３４１ｅとを有する。
【００５１】
地図ＩＤ欄３４１ａには、デフォルメ地図を一意に特定する記号を格納する。地図ＩＤは、Ｗｅｂサイト等にデフォルメ地図を添付する際に使用される。事業者ＩＤ欄３４１ｂには、デフォルメ地図を作成した事業者ＩＤを格納する。部分地図欄３４１ｃには、デフォルメ地図の元となった部分地図の地図情報が格納される。図においては、部分地図の地図情報として、四角形の部分地図の４隅の緯度経度が格納されている。パターンＩＤ欄３４１ｄには、デフォルメ地図を作成する際に用いた地図デフォルメパターンのパターンＩＤが格納される。デフォルメ地図欄３４１ｆには、デフォルメ地図作成手段３１２にて作成されたデフォルメ地図が格納される。デフォルメ地図の元である部分地図とパターンＩＤとを事業者ＩＤと対応付けておくことで、事業者が新たにデフォルメ地図を作成する際に、以前に用いたデフォルメパターンを知ることができる。
【００５２】
図６は、デフォルメ地図作成処理のフローチャートである。
Ｓ２００：地図選択受信手段３１０は、事業者端末１００−３にて選択された部分地図の地図情報を受信する。
Ｓ２１０：パターン選択受信手段３１１は、事業者端末１００−３にて選択された地図デフォルメパターンのパターンＩＤを受信する。事業者端末１００−３のユーザは、提供手段２１４から提供された地図デフォルメパターンの中から、使用する地図デフォルメパターンを選択する。
【００５３】
Ｓ２２０：デフォルメ地図作成手段３１２は、ステップＳ２００で受信した部分地図の地図情報とステップＳ２１０で受信したパターンＩＤとに基づいてデフォルメ地図を作成する。デフォルメ地図作成処理についての詳細は後述する。
Ｓ２３０：デフォルメ地図作成手段３１２は、ステップＳ２２０にて作成されたデフォルメ地図を識別するために発行された地図ＩＤに関連つけてデフォルメ地図と、それに関する情報とをデフォルメ地図記憶手段３４０に登録し、処理は終了する。それに関する情報とは、具体的には、地図ＩＤと、事業者ＩＤと、部分地図の地図情報と、パターンＩＤと、デフォルメ地図である。
【００５４】
図７は、本発明の第２実施形態に係るデフォルメ地図作成処理のフローチャートである。
Ｓ３００：デフォルメ地図作成手段３１２は、地図選択受信手段３１０から受信した部分地図の地図情報に基づいて、地図情報記憶手段３３０から部分地図の地図構成要素の情報を取得する。
Ｓ３１０：デフォルメ地図作成手段３１２は、パターン選択受信手段３１１から受信したパターンＩＤに基づいて、デフォルメパターン記憶手段２２０から地図デフォルメパターンを取得する。
【００５５】
Ｓ３２０：デフォルメ地図作成手段３１２は、ステップＳ３１０にて取得した地図デフォルメパターンに基づいて、ステップＳ３００にて取得した部分地図の地図構成要素の情報からデフォルメ地図を構成する情報を抽出する。具体的には、部分地図の地図構成要素の情報から、デフォルメパターンに定義されているデフォルメ地図の地図構成要素を抽出する。例えば、デフォルメパターンが、名称に「歯科」を含む建物情報と道路情報となっている場合には、部分地図の地図構成要素の情報から、名称に「歯科」を含む建物情報と道路情報とを抽出する。
【００５６】
Ｓ３３０：デフォルメ地図作成手段３１２は、ステップＳ３２０にて抽出した情報に基づいて、デフォルメ地図を作成する。なお、部分地図に比べデフォルメ地図が小さくなった場合にはデフォルメ地図の拡大を行うことや、表示文字数に応じて表示文字のサイズの拡大や縮小を行うこと等、デフォルメ地図をユーザが見やすいように編集してもよい。
【００５７】
以上の説明から明らかなように、必要な地図構成要素を残した、言い換えると、不要な地図構成要素を削除した経路案内図、観光案内図、タウンマップ、各種の略図といった様々なデフォルメ地図を作成できる。また、事業者が指定した部分地図と、事業者が選択した地図デフォルメパターンとに基づいてデフォルメ地図作成することができる。つまり。事業者のニーズに応じて、任意の地図に対して任意の地図デフォルメパターンを適用したデフォルメ地図を提供することができる。
【００５８】
従来、事業者は自己のニーズにあった地図をＷｅｂサイト等に添付するために作成しなければならないという不便や、Ｗｅｂサイト等に添付する地図を地図検索サイトから取得した必要な部分の部分地図とすると不要な情報が含まれるために閲覧者にとって見にくいという問題点があった。しかし、以上の説明から明らかなように、事業者は自己のＷｅｂサイト等に添付する地図を、容易に自己のニーズに合わせて作成することができ、従来の不便や問題点が解消される。
【００５９】
図８は、本発明の第２実施形態に係るデフォルメ地図取得処理のフローチャートである。
Ｓ４００：地図要求受信手段３１３は、地図閲覧端末１００−４のユーザからのデフォルメ地図取得要求を受信する。ここでは、地図閲覧端末１００−４のユーザが閲覧するＷｅｂサイトにデフォルメ地図が添付されており、Ｗｅｂサイトにはデフォルメ地図名が記載されているとする。この場合には、デフォルメ地図取得要求には、デフォルメ地図名が含まれている。
【００６０】
Ｓ４１０：地図取得手段３１４は、ステップＳ４００で受信したデフォルメ地図取得要求に基づいて、デフォルメ地図記憶手段３４０からデフォルメ地図を取得する。具体的には、デフォルメ地図名に基づいて、デフォルメ地図を取得する。
Ｓ４２０：地図送信手段３１５は、ステップＳ４１０にて取得したデフォルメ地図を閲覧端末１００−４へ送信し、処理を終了する。地図閲覧端末１００−４に送信されたデフォルメ地図は、Ｗｅｂサイトに添付されてディスプレイ等の出力手段を介してユーザに提示される。
【００６１】
［実施例１］
図９は、本発明の第２実施形態に係る経路案内に関するデフォルメ地図例を示す図である。図９（ａ）は経路案内図である。図９（ｂ）は、図９（ａ）の経路案内図に基づいて作成されたデフォルメ地図である。図９（ａ）は、通常、地図検索サイト等にて経路検索を行った際に、提供される経路案内図である。この図に、「出発点から到達点までの経路、および経路沿いの建物以外は削除」と定義された削除パターンを適用し、出発点から到達点までの経路および経路沿いの建物以外の地図構成要素を削除した図が図９（ｂ）である。このように、経路案内図において必要な情報以外を削除することによって作成されたフォルメ地図をユーザに提供することにより、ユーザに見やすい経路案内図を提供することができる。
【００６２】
［実施例２］
図１０は、本発明の第２実施形態に係るタウンマップに関するデフォルメ地図例を示す図である。図１０（ａ）はタウンマップである。図１０（ｂ）は、図１０（ａ）のタウンマップに基づいて作成されたデフォルメ地図である。図１０（ａ）は、通常、地図検索サイト等にてエリアを指定して検索を行った際に、提供されるタウンマップである。この図に、「名称に「銀行」が含まれる建物以外は削除」と定義された削除パターンを適用し、名称に「銀行」が含まれる建物以外の地図構成要素を削除した図が図１０（ｂ）である。このように、タウンマップにおいて必要な情報以外を削除することによって作成されたフォルメ地図をユーザに提供することにより、ユーザは必要な情報のみが表示された地図を得ることができる。また、通常の地図から、特定の情報に特化した地図、例えば、ラーメン店のみが表示されたラーメンマップや、バスの路線に関する情報のみが表示されたバス運行マップ等を容易に作成することができる。
【００６３】
［地図デフォルメパターン共有装置２００、およびデフォルメ地図作成装置３００のハードウェア構成］
図１１は、本発明の各実施形態に係る地図デフォルメパターン共有装置２００、およびデフォルメ地図作成装置３００のハードウェア構成を示す図である。本発明が実施される装置は標準的なものでよく、以下に構成の一例を示す。なお、地図デフォルメパターン共有装置２００、およびデフォルメ地図作成装置３００を、コンピュータを典型とする情報処理装置１０００として全般的な構成を説明する。
【００６４】
情報処理装置１０００は、制御部１３００を構成するＣＰＵ（Ｃｅｎｔｒａｌ  Ｐｒｏｃｅｓｓｉｎｇ  Ｕｎｉｔ）１３１０（マルチプロセッサ構成ではＣＰＵ１３２０等複数のＣＰＵが追加されてもよい）、バスライン１２００、通信Ｉ／Ｆ（Ｉ／Ｆ：インターフェイス）１３３０、メインメモリ１３４０、ＢＩＯＳ（Ｂａｓｉｃ  Ｉｎｐｕｔ  Ｏｕｔｐｕｔ  Ｓｙｓｔｅｍ）１３５０、表示装置１３６０、Ｉ／Ｏコントローラ１３７０、キーボードおよびマウス等の入力装置１３８０、ハードディスク１３９０、光ディスクドライブ１４００、並びに半導体メモリ１４２０を備える。なお、ハードディスク１３９０、光ディスクドライブ１４００、並びに半導体メモリ１４２０はまとめて記憶装置１４３０と呼ぶ。
【００６５】
制御部１３００は、情報処理装置１０００を統括的に制御する部分であり、ハードディスク１３９０（後述）に記憶された各種プログラムを適宜読み出して実行することにより、上述したハードウェアと協働し、本発明に係る各種機能を実現している。
【００６６】
通信Ｉ／Ｆ１３３０は、情報処理装置１０００が、通信回線５００を介してメールサーバと情報を送受信する場合のネットワーク・アダプタである。通信Ｉ／Ｆ１３３０は、モデム、ケーブル・モデムおよびイーサネット（登録商標）・アダプタを含んでよい。
【００６７】
ＢＩＯＳ１３５０は、情報処理装置１０００の起動時にＣＰＵ１３１０が実行するブートプログラムや、情報処理装置１０００のハードウェアに依存するプログラム等を記録する。
【００６８】
表示装置１３６０は、ブラウン管表示装置（ＣＲＴ）、液晶表示装置（ＬＣＤ）等のディスプレイ装置を含む。
【００６９】
Ｉ／Ｏコントローラ１３７０には、ハードディスク１３９０、光ディスクドライブ１４００、および半導体メモリ１４２０等の記憶装置１４３０を接続することができる。
【００７０】
入力装置１３８０は、情報処理装置１０００のユーザによる入力の受け付けを行うものである。
【００７１】
ハードディスク１３９０は、本ハードウェアを情報処理装置１０００として機能させるための各種プログラム、本発明の機能を実行するプログラムおよび後述するテーブルおよびレコードを記憶する。なお、情報処理装置１０００は、外部に別途設けたハードディスク（図示せず）を外部記憶装置として利用することもできる。
【００７２】
光ディスクドライブ１４００としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１４１０を使用する。光ディスク１４１０から光ディスクドライブ１４００によりプログラムまたはデータを読み取り、Ｉ／Ｏコントローラ１３７０を介してメインメモリ１３４０またはハードディスク１３９０に提供することもできる。
【００７３】
なお、本発明でいうコンピュータとは、記憶装置、制御部等を備えた情報処理装置をいい、情報処理装置１０００は、記憶装置１４３０、制御部１３００等を備えた情報処理装置により構成され、この情報処理装置は、本発明のコンピュータの概念に含まれる。
【００７４】
地図デフォルメパターン共有装置２００、およびデフォルメ地図作成装置３００の各手段は、制御部１３００によってプログラムが実行されることで実現される。但し、デフォルメパターン記憶手段２２０、地図情報記憶手段３３０、およびデフォルメ地図記憶手段３４０は、主としてハードディスク１３９０に実装されるが、既に述べたように、他の記憶装置を用いてもよい。
【００７５】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００７６】
【図１】本発明の第１実施形態に係る地図デフォルメパターン共有装置を示す概略図である。
【図２】本発明の各実施形態に係るデフォルメパターン記憶手段に格納されるデフォルメパターンテーブルの一例を示す図である。
【図３】本発明の第１実施形態に係る地図デフォルメパターン登録・取得処理のフローチャートである。
【図４】本発明の第２実施形態に係るデフォルメ地図作成装置を示す概略図である。
【図５】本発明の第２実施形態に係るデフォルメ地図記憶手段に格納されるデフォルメ地図テーブルの一例を示す図である。
【図６】本発明の第２実施形態に係るデフォルメ地図作成処理のフローチャートである。
【図７】本発明の第２実施形態に係るデフォルメ地図作成処理のフローチャートである。
【図８】本発明の第２実施形態に係るデフォルメ地図取得処理のフローチャートである。
【図９】本発明の第２実施形態に係る経路案内に関するデフォルメ地図例を示す図である。
【図１０】本発明の第２実施形態に係るタウンマップに関するデフォルメ地図例を示す図である。
【図１１】本発明の各実施形態に係る地図デフォルメパターン共有装置、およびデフォルメ地図作成装置のハードウェア構成を示す図である。
【符号の説明】
【００７７】
１００−１  パターン作成端末
１００−２  パターン利用端末
２００      地図デフォルメパターン共有装置
２１０      パターン受信手段
２１１      パターン登録手段
２１２      要求受信手段
２１３      パターン取得手段
２１４      提供手段
２２０      デフォルメパターン記憶手段
【図１】
2010044302.tif 000003
【図２】
2010044302.tif 000004
【図３】
2010044302.tif 000005
【図４】
2010044302.tif 000006
【図５】
2010044302.tif 000007
【図６】
2010044302.tif 000008
【図７】
2010044302.tif 000009
【図８】
2010044302.tif 000010
【図９】
2010044302.tif 000011
【図１０】
2010044302.tif 000012
【図１１】
2010044302.tif 000013
【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
複数のクライアント端末と通信ネットワークを介して接続され、クライアント端末から受信した地図デフォルメパターンを他のクライアント端末に対して提供する地図デフォルメパターン共有装置であって、
電子地図を構成する複数の地図構成要素の中から、デフォルメ地図を構成する地図構成要素群を抽出する条件を前記地図デフォルメパターンとして、前記クライアント端末から受信するパターン受信手段と、
前記パターン受信手段にて受信した地図デフォルメパターンを記憶するデフォルメパターン記憶手段と、
前記デフォルメパターン記憶手段に記憶された地図デフォルメパターンを前記他のクライアント端末からの要求に応じて、提供する提供手段と、
を備える地図デフォルメパターン共有装置。
【請求項２】
前記地図デフォルメパターンは、前記地図構成要素の前記電子地図上における位置及び前記地図構成要素の属性情報の少なくとも１つから構成される請求項１に記載の地図デフォルメパターン共有装置。
【請求項３】
複数のクライアント端末と通信ネットワークを介して接続され、クライアント端末から受信した地図デフォルメパターンを他のクライアント端末に対して提供する地図デフォルメパターン共有方法であって、
電子地図を構成する複数の地図構成要素の中から、デフォルメ地図を構成する地図構成要素群を抽出する条件を前記地図デフォルメパターンとして、前記クライアント端末から受信するステップと、
受信した前記地図デフォルメパターンを記憶するステップと、
記憶された前記地図デフォルメパターンを前記他のクライアント端末からの要求に応じて、提供するステップと、
を含む地図デフォルメパターン共有方法。
【請求項４】
通信ネットワークを介して事業者端末と、クライアント端末と接続され、前記事業者端末のユーザからの指示に従って作成したデフォルメ地図を前記クライアント端末に対して提供するデフォルメ地図作成装置であって、
電子地図を構成する複数の地図構成要素の中から、前記デフォルメ地図を構成する地図構成要素群を抽出する条件を地図デフォルメパターンとして記憶するデフォルメパターン記憶手段と、
前記事業者端末のユーザにて選択された前記電子地図の一部分である部分電子地図の地図情報を前記事業者端末から受信する地図選択受信手段と、
前記デフォルメパターン記憶手段に記憶されている地図デフォルメパターンのうち、前記事業者端末のユーザにて選択された前記地図デフォルメパターンを前記事業者端末から受信するパターン選択受信手段と、
受信した前記地図デフォルメパターンに基づいて、受信した前記地図情報から前記デフォルメ地図を作成するデフォルメ地図作成手段と、
前記デフォルメ地図作成手段にて作成されたデフォルメ地図を記憶するデフォルメ地図記憶手段と、
前記デフォルメ地図記憶手段に記憶されているデフォルメ地図を、前記クライアント端末からの要求に応じて、送信する地図送信手段と、
を備えるデフォルメ地図作成装置。
【請求項５】
前記地図デフォルメパターンは、前記地図構成要素の前記電子地図上における位置及び前記地図構成要素の属性情報の少なくとも１つから構成される請求項４に記載のデフォルメ地図作成装置。
【請求項６】
前記地図選択受信手段又は前記パターン選択受信手段のいずれか一方が前記事業者端末から前記事業者端末の事業者を識別する事業者識別情報を受信し、
前記デフォルメ地図記憶手段は、前記デフォルメ地図作成手段にて作成されたデフォルメ地図に対して、前記事業者識別情報と、前記地図情報と、前記地図デフォルメパターンとを対応付けて記憶する請求項４又は請求項５に記載のデフォルメ地図作成装置。
【請求項７】
更に、前記電子地図を構成する複数の前記地図構成要素の中から、前記デフォルメ地図を構成する前記地図構成要素群を抽出する条件を前記地図デフォルメパターンとして、前記クライアント端末から受信するパターン受信手段を備え、
前記デフォルメパターン記憶手段は、前記パターン受信手段にて受信した地図デフォルメパターンを記憶する請求項４から請求項６のいずれかに記載のデフォルメ地図作成装置。
【請求項８】
通信ネットワークを介して事業者端末と、クライアント端末と接続され、前記事業者端末のユーザからの指示に従って作成したデフォルメ地図を前記クライアント端末に対して提供するデフォルメ地図作成システムであって、
電子地図を構成する複数の地図構成要素の中から、前記デフォルメ地図を構成する地図構成要素群を抽出する条件を地図デフォルメパターンとして記憶するデフォルメパターン記憶手段と、
前記事業者端末のユーザにて選択された前記電子地図の一部分である部分電子地図の地図情報を前記事業者端末から受信する地図選択受信手段と、
前記地図デフォルメパターンのうち、前記事業者端末のユーザにて選択された前記地図デフォルメパターンを前記事業者端末から受信するパターン選択受信手段と、
受信した前記地図デフォルメパターンに基づいて、受信した前記地図情報から前記デフォルメ地図を作成するデフォルメ地図作成手段と、
作成された前記デフォルメ地図を記憶するデフォルメ地図記憶手段と、
記憶された前記デフォルメ地図を、前記クライアント端末からの要求に応じて、送信する地図送信手段と、
を備えるデフォルメ地図作成システム。
【請求項９】
通信ネットワークを介して事業者端末と、クライアント端末と接続され、前記事業者端末のユーザからの指示に従って作成したデフォルメ地図を前記クライアント端末に対して提供するデフォルメ地図作成方法であって、
電子地図を構成する複数の地図構成要素の中から、前記デフォルメ地図を構成する地図構成要素群を抽出する条件を地図デフォルメパターンとして記憶するステップと、
前記事業者端末のユーザにて選択された前記電子地図の一部分である部分電子地図の地図情報を前記事業者端末から受信するステップと、
前記地図デフォルメパターンのうち、前記事業者端末のユーザにて選択された前記地図デフォルメパターンを前記事業者端末から受信するステップと、
受信した前記地図デフォルメパターンに基づいて、受信した前記地図情報から前記デフォルメ地図を作成するステップと、
作成された前記デフォルメ地図を記憶するステップと、
記憶された前記デフォルメ地図を、前記クライアント端末からの要求に応じて、送信するステップと、
を含むデフォルメ地図作成方法。
【手続補正２】
【補正対象書類名】明細書
【補正対象項目名】全文
【補正方法】変更
【補正の内容】
【発明の詳細な説明】
【技術分野】
【０００１】
本発明は、地図デフォルメパターンを複数のクライアント端末に共有させる地図デフォルメパターン共有装置及び方法並びにその装置及び方法を用いたデフォルメ地図作成装置、システム及び方法に関する。
【背景技術】
【０００２】
近年、カーナビやインターネット上で無料で見られる電子地図（以下、簡略化のため地図という）が普及している。地図には多くの情報が含まれているが、全てがユーザにとって必要な情報とは限らず、むしろ、不要な情報の方が多いこともある。そのため、地図から必要な情報をユーザ自身が取捨選択しなければならないという不便があった。
【０００３】
そこで、ユーザにとって必要な情報を損なわない程度に、道路の形状を変形したり、不要情報を削除する等のデフォルメ処理をしたデフォルメ地図を自動的に生成する技術が多く提案されており、例えば特許文献１等が挙げられる。
【特許文献１】特開平１０−７４０４２号公報
【発明の開示】
【発明が解決しようとする課題】
【０００４】
上述したように、地図からデフォルメ地図を作成する技術は多く提案されている。しかし、いずれの提案においても、デフォルメ地図を作成する際に、地図に含まれるどの情報を削除するか、又はどの情報を抽出するかはユーザによって異なるという課題がある。そこで、ユーザのニーズに応じたデフォルメ地図を作成するためには、地図に含まれるどの情報を削除するか、又はどの情報を抽出するかを定義した地図デフォルメパターンを複数のユーザに流通させる、言い換えると、複数のユーザで共有することが必要である。
【０００５】
そこで、本発明は上記課題に鑑み、ユーザのニーズにあったデフォルメ地図を作成するために、複数のユーザで地図デフォルメパターンを共有する地図デフォルメパターン共有装置及び方法並びにその装置及び方法を用いたデフォルメ地図作成装置、システム及び方法を提供することを目的とする。
【課題を解決するための手段】
【０００６】
本発明では、以下のような解決手段を提供する。
【０００７】
（１）複数のクライアント端末と通信ネットワークを介して接続され、クライアント端末から受信した地図デフォルメパターンを他のクライアント端末に対して提供する地図デフォルメパターン共有装置であって、電子地図を構成する複数の地図構成要素の中から、デフォルメ地図を構成する地図構成要素群を抽出する条件を前記地図デフォルメパターンとして、前記クライアント端末から受信するパターン受信手段と、前記パターン受信手段にて受信した地図デフォルメパターンを記憶するデフォルメパターン記憶手段と、前記デフォルメパターン記憶手段に記憶された地図デフォルメパターンを前記他のクライアント端末からの要求に応じて、提供する提供手段と、を備える地図デフォルメパターン共有装置。
【０００８】
（１）の構成によれば、複数のクライアント端末と通信ネットワークを介して接続されている地図デフォルメパターン共有装置は、ユーザが作成した地図デフォルメパターンがデフォルメパターン記憶手段に記憶され、他のユーザの要求に応じデフォルメパターン記憶手段に記憶されている地図デフォルメパターンを提供することができる。
【０００９】
それにより、ユーザが作成した地図デフォルメパターンを他のユーザが共有することができる。つまり、ユーザはニーズに応じた地図デフォルメパターンを取得することができる。その結果、様々な地図デフォルメパターンをネットワーク上で流通させることにより、ユーザはニーズに合ったデフォルメ地図を作成することが可能になる。
【００１０】
ここで、地図構成要素とは、地球上の自然や人工の地物（建物、道路、線路、畑等）といった電子地図を構成する構成要素である。地図デフォルメパターンとは、電子地図を構成する複数の地図構成要素の中から、デフォルメ地図を構成する地図構成要素群に不要な地図構成要素を削除する条件又はデフォルメ地図を構成する地図構成要素群を抽出する条件であり、地図デフォルメパターンに従って地図からデフォルメ地図が作成される。
【００１１】
（２）前記地図デフォルメパターンは、前記地図構成要素の前記電子地図上における位置及び前記地図構成要素の属性情報の少なくとも１つから構成される（１）に記載の地図デフォルメパターン共有装置。
【００１２】
（２）の構成によれば、地図構成要素の電子地図上における位置及び地図構成要素の属性情報の少なくとも１つを条件とすることにより、ユーザが容易に不要な地図構成要素や必要な地図構成要素を特定し、地図デフォルメパターンを作成することができる。ここで、地図構成要素の属性情報とは、地図構成要素に関する情報であり、例えば、地図構成要素の名称、種別である。
【００１３】
（３）複数のクライアント端末と通信ネットワークを介して接続され、クライアント端末から受信した地図デフォルメパターンを他のクライアント端末に対して提供する地図デフォルメパターン共有方法であって、電子地図を構成する複数の地図構成要素の中から、デフォルメ地図を構成する地図構成要素群を抽出する条件を前記地図デフォルメパターンとして、前記クライアント端末から受信するステップと、受信した前記地図デフォルメパターンを記憶するステップと、記憶された前記地図デフォルメパターンを前記他のクライアント端末からの要求に応じて、提供するステップと、を含む地図デフォルメパターン共有方法。
【００１４】
（４）通信ネットワークを介して事業者端末と、クライアント端末と接続され、前記事業者端末のユーザからの指示に従って作成したデフォルメ地図を前記クライアント端末に対して提供するデフォルメ地図作成装置であって、電子地図を構成する複数の地図構成要素の中から、前記デフォルメ地図を構成する地図構成要素群を抽出する条件を地図デフォルメパターンとして記憶するデフォルメパターン記憶手段と、前記事業者端末のユーザにて選択された前記電子地図の一部分である部分電子地図の地図情報を前記事業者端末から受信する地図選択受信手段と、前記デフォルメパターン記憶手段に記憶されている地図デフォルメパターンのうち、前記事業者端末のユーザにて選択された前記地図デフォルメパターンを前記事業者端末から受信するパターン選択受信手段と、受信した前記地図デフォルメパターンに基づいて、受信した前記地図情報から前記デフォルメ地図を作成するデフォルメ地図作成手段と、前記デフォルメ地図作成手段にて作成されたデフォルメ地図を記憶するデフォルメ地図記憶手段と、前記デフォルメ地図記憶手段に記憶されているデフォルメ地図を、前記クライアント端末からの要求に応じて、送信する地図送信手段と、を備えるデフォルメ地図作成装置。
【００１５】
（４）の構成によれば、事業者端末のユーザが、部分電子地図と、デフォルメパターン記憶手段に記憶されている地図デフォルメパターンとを選択したことに応じて、デフォルメ地図作成装置は、デフォルメ地図を作成する。作成されたデフォルメ地図はデフォルメ地図作成装置のデフォルメ地図記憶手段に記憶され、クライアント端末より取得要求がなされると送信される。
【００１６】
デフォルメパターン記憶手段から使用する地図デフォルメパターンを選択できることにより、事業者端末のユーザは地図デフォルメパターンを作成することなしに、自身のニーズに合ったデフォルメ地図を作成することができる。また、地図デフォルメパターンと部分電子地図とを別々に選択することができることにより、部分電子地図が異なっても地図デフォルメパターンが同じであれば、同コンセプトのデフォルメ地図を作成することができる。
【００１７】
（５）前記地図デフォルメパターンは、前記地図構成要素の前記電子地図上における位置及び前記地図構成要素の属性情報の少なくとも１つから構成される（４）に記載のデフォルメ地図作成装置。
【００１８】
（５）の構成によれば、地図構成要素の電子地図上における位置及び地図構成要素の属性情報の少なくとも１つを条件とすることにより、デフォルメ地図を作成する際に元の電子地図から削除する地図構成要素又はデフォルメ地図に表示する地図構成要素を地図構成要素の電子地図上における位置及び地図構成要素の属性情報の少なくとも１つにて指定することができる。それにより、ユーザは容易にデフォルメ地図を作成する際に元の電子地図から削除する地図構成要素又はデフォルメ地図に表示する地図構成要素を指定することができる。
【００１９】
（６）前記地図選択受信手段又は前記パターン選択受信手段のいずれか一方が前記事業者端末から前記事業者端末の事業者を識別する事業者識別情報を受信し、前記デフォルメ地図記憶手段は、前記デフォルメ地図作成手段にて作成されたデフォルメ地図に対して、前記事業者識別情報と、前記地図情報と、前記地図デフォルメパターンとを対応付けて記憶する（４）又は（５）に記載のデフォルメ地図作成装置。
【００２０】
（６）の構成によれば、デフォルメ地図に事業者識別情報と、地図情報と、地図デフォルメパターンとを対応付けて記憶することにより、事業者が以前に作成したデフォルメ地図がどの地図に対してどの地図デフォルメパターンを用いて作成したものかを知ることができる。それにより、別途、デフォルメ地図を作る際に、同じ地図デフォルメパターンを用いることができ、以前に作成したデフォルメ地図と同コンセプトのデフォルメ地図を新たに作成することができる。
【００２１】
（７）更に、前記電子地図を構成する複数の前記地図構成要素の中から、前記デフォルメ地図を構成する前記地図構成要素群を抽出する条件を前記地図デフォルメパターンとして、前記クライアント端末から受信するパターン受信手段を備え、前記デフォルメパターン記憶手段は、前記パターン受信手段にて受信した地図デフォルメパターンを記憶する（４）から（６）のいずれかに記載のデフォルメ地図作成装置。
【００２２】
（７）の構成によれば、デフォルメパターン記憶手段に記憶される地図デフォルメパターンを、複数のユーザと共有することができる。
【００２３】
（８）通信ネットワークを介して事業者端末と、クライアント端末と接続され、前記事業者端末のユーザからの指示に従って作成したデフォルメ地図を前記クライアント端末に対して提供するデフォルメ地図作成システムであって、電子地図を構成する複数の地図構成要素の中から、前記デフォルメ地図を構成する地図構成要素群を抽出する条件を地図デフォルメパターンとして記憶するデフォルメパターン記憶手段と、前記事業者端末のユーザにて選択された前記電子地図の一部分である部分電子地図の地図情報を前記事業者端末から受信する地図選択受信手段と、前記地図デフォルメパターンのうち、前記事業者端末のユーザにて選択された前記地図デフォルメパターンを前記事業者端末から受信するパターン選択受信手段と、受信した前記地図デフォルメパターンに基づいて、受信した前記地図情報から前記デフォルメ地図を作成するデフォルメ地図作成手段と、作成された前記デフォルメ地図を記憶するデフォルメ地図記憶手段と、記憶された前記デフォルメ地図を、前記クライアント端末からの要求に応じて、送信する地図送信手段と、を備えるデフォルメ地図作成システム。
【００２４】
（９）通信ネットワークを介して事業者端末と、クライアント端末と接続され、前記事業者端末のユーザからの指示に従って作成したデフォルメ地図を前記クライアント端末に対して提供するデフォルメ地図作成方法であって、電子地図を構成する複数の地図構成要素の中から、前記デフォルメ地図を構成する地図構成要素群を抽出する条件を地図デフォルメパターンとして記憶するステップと、前記事業者端末のユーザにて選択された前記電子地図の一部分である部分電子地図の地図情報を前記事業者端末から受信するステップと、前記地図デフォルメパターンのうち、前記事業者端末のユーザにて選択された前記地図デフォルメパターンを前記事業者端末から受信するステップと、受信した前記地図デフォルメパターンに基づいて、受信した前記地図情報から前記デフォルメ地図を作成するステップと、作成された前記デフォルメ地図を記憶するステップと、記憶された前記デフォルメ地図を、前記クライアント端末からの要求に応じて、送信するステップと、を含むデフォルメ地図作成方法。
【発明の効果】
【００２５】
本発明によれば、ユーザのニーズにあったデフォルメ地図を作成するために、複数のユーザで地図デフォルメパターンを共有する地図デフォルメパターン共有装置及び方法並びにその装置及び方法を用いたデフォルメ地図作成装置、システム及び方法を提供することができる。
【発明を実施するための最良の形態】
【００２６】
以下、本発明の実施形態について図を参照しながら説明する。
【００２７】
［第１実施形態］
（システムの概要）
図１は、本発明の第１実施形態に係る地図デフォルメパターン共有装置２００（以下、「共有装置２００」ともいう）を示す概略図である。図１に示すように、共有装置２００は、２台のクライアント端末（１００−１、１００−２）と通信ネットワークを介して接続されている。図では２台のクライアント端末のうち、一方のクライアント端末をパターン作成端末１００−１、他方のクライアント端末をパターン利用端末１００−２とする。
【００２８】
パターン作成端末１００−１は、パターン作成端末１００−１のユーザがキーボード等の入力手段（図示せず）にて入力した地図デフォルメパターンを、ネットワークを介して共有装置２００に送信する機能を有する。地図デフォルメパターンは、例えば、共有装置２００からパターン作成端末１００−１に提供される地図デフォルメパターン設定画面にパターン作成端末１００−１のユーザが入力した内容に基づいて作成される。地図デフォルメパターン設定画面は、地図を構成する複数の地図構成要素の中から、デフォルメ地図を構成する地図構成要素群に不要な地図構成要素を削除する条件又はデフォルメ地図を構成する地図構成要素群を抽出する条件を入力できるようになっている。具体的には、抽出する地図構成要素の名称や種別を入力する欄、曲がり角の建物を表示するかしないかや経路を表示する地図において、経路から経路の１／４の長さ分の範囲内を表示するかしないかのチェックボックス等が設けられている。
【００２９】
パターン利用端末１００−２は、パターン利用端末１００−２のユーザがキーボード等の入力手段（図示せず）にて入力した地図デフォルメパターン取得要求を共有装置２００に送信し、ネットワークを介して共有装置２００に記憶されている地図デフォルメパターンを受信する。
【００３０】
共有装置２００は、地図デフォルメパターンを複数のクライアント端末にて共有するための機能を有し、パターン受信手段２１０、パターン登録手段２１１、要求受信手段２１２、パターン取得手段２１３、提供手段２１４及びデフォルメパターン記憶手段２２０を備える。パターン受信手段２１０は、パターン作成端末１００−１から地図デフォルメパターンを受信し、パターン登録手段２１１に送信する。パターン登録手段２１１は、パターン受信手段２１０から受信した地図デフォルメパターンを識別するためのパターンＩＤを発行し、パターンＩＤと地図デフォルメパターンとを関連付けてデフォルメパターン記憶手段２２０に登録する。デフォルメパターン記憶手段２２０については後述する。
【００３１】
要求受信手段２１２は、パターン利用端末１００−２から地図デフォルメパターン取得要求を受け付け、取得要求をパターン取得手段２１３に送信する。取得要求には、ユーザが指定した地図デフォルメパターンを特定するパターンＩＤを含んでもよい。パターン取得手段２１３は、要求受信手段２１２から取得要求を受信すると、デフォルメパターン記憶手段２２０から地図デフォルメパターンを取得し、取得した地図デフォルメパターンを提供手段２１４に送信する。取得要求に地図デフォルメパターンを特定するパターンＩＤを含む場合には、パターンＩＤに対応する地図デフォルメパターンを取得する。一方、含まない場合には、デフォルメパターン記憶手段２２０に登録されている全ての地図デフォルメパターンを表示する。提供手段２１４は、パターン取得手段２１３から受信した地図デフォルメパターンをパターン利用端末１００−２に送信する。
【００３２】
（デフォルメパターン記憶手段）
図２は、本発明の各実施形態に係るデフォルメパターン記憶手段２２０に格納されるデフォルメパターンテーブルの一例を示す図である。デフォルメパターン記憶手段２２０は、パターン作成端末１００−１にて入力されたデフォルメパターンをパターンＩＤに関連付けて記憶する。デフォルメパターンテーブルは、パターンＩＤ欄２２１ａと、デフォルメパターン欄２２１ｂと、内容欄２２１ｃとを有する。なお、ここに示した項目は例示であり、その他の項目を有してもよい。
【００３３】
パターンＩＤ欄２２１ａには、地図デフォルメパターンを一意に示す記号が格納される。この記号は、パターン登録手段２１１が地図デフォルメパターンをデフォルメパターン記憶手段２２０に登録する際に適宜付与する。
【００３４】
デフォルメパターン欄２２１ｂには、デフォルメ地図を作成する際に残す地図構成要素が格納される。つまり、この情報に基づいて、地図から不要な地図構成要素が削除され、デフォルメ地図が作成される。例えば、パターンＩＤ＝１においては、ユーザが出発点と到達点を設定して得られた経路と、その経路の曲がり角の建物情報とがデフォルメ地図に表示される地図構成要素であることがわかる。
【００３５】
内容欄２２１ｃには、地図デフォルメパターンの内容が格納される。地図デフォルメパターンの内容は、例えば、パターン作成端末１００−１に提供された地図デフォルメパターン設定画面に入力された内容から作成される。また、内容欄２２１ｃに格納する情報を入力する欄を地図デフォルメパターン設定画面に設け、ユーザに入力させてもよい。内容欄２２１ｃに格納された情報は、パターン利用端末１００−２のユーザに地図デフォルメパターンを提供する際に、地図デフォルメパターンの説明として提供することができる。複数の地図デフォルメパターンが提示された際に、ユーザは説明を見て地図デフォルメパターンを選択することができる。
【００３６】
図３（ａ）は、本発明の第１実施形態に係る地図デフォルメパターン登録処理のフローチャートである。
Ｓ１００：パターン受信手段２１０は、パターン作成端末１００−１にて入力された地図デフォルメパターンを、パターン作成端末１００−１から受信する。
Ｓ１１０：パターン登録手段２１１は、地図デフォルメパターンに対してパターンＩＤを発行する。
Ｓ１２０：パターン登録手段２１１は、Ｓ１１０にて発行されたパターンＩＤに地図デフォルメパターンを対応付けてデフォルメパターン記憶手段２２０に登録する。
【００３７】
図３（ｂ）は、本発明の第１実施形態に係る地図デフォルメパターン取得処理のフローチャートである。
Ｓ１５０：要求受信手段２１２は、パターン利用端末１００−２から地図デフォルメパターン取得要求を受け付ける。
Ｓ１６０：パターン取得手段２１３は、デフォルメパターン記憶手段２２０から地図デフォルメパターンを取得する。具体的には、パターンＩＤ欄２２１ａと、デフォルメパターン欄２２１ｂと、内容欄２２１ｃとに格納されている情報を取得する。
Ｓ１７０：提供手段２１４は、Ｓ１６０にて取得した地図デフォルメパターンをパターン利用端末１００−２へ送信する。
【００３８】
このように、共有装置２００を用いることにより、デフォルメ地図を作成する際に用いる地図デフォルメパターンを複数のユーザにて共有することができる。その結果、ユーザは、複数の地図デフォルメパターンの中から自分のニーズに合った地図デフォルメパターンを選択することができ、自分のニーズに合ったデフォルメ地図を作成することができる。
【００３９】
［第２実施形態］
第２の実施形態では、第１の実施形態の地図デフォルメパターン共有装置２００の各手段を備え、それら各手段によりユーザに提供される地図デフォルメパターンを用いて、デフォルメ地図を作成するデフォルメ地図作成装置３００について説明する。なお、以下で説明する点以外は、前述の第１の実施形態と同様である。また、以下の説明及び図面において、第１の実施形態と同様の機能を果たす部分には、同一の符号をつけて、重複する説明を適宜省略する。
【００４０】
（システムの概要）
図４は、本発明の第２実施形態に係るデフォルメ地図作成装置３００（以下、「作成装置３００」ともいう）を示す概略図である。図４に示すように、作成装置３００は、２台のクライアント端末（１００−１、１００−４）と、事業者端末１００−３と通信ネットワークを介して接続されている。図４では２台のクライアント端末のうち、クライアント端末１００−４を地図閲覧端末１００−４とする。
【００４１】
事業者端末１００−３は、入力手段（図示せず）からの地図デフォルメパターンと部分地図の情報とを作成装置３００に送信して、作成装置３００にデフォルメ地図を作成させる端末である。部分地図の情報とは、事業者端末１００−３のディスプレイ等に表示されている地図の表示範囲を示す情報をいい、具体的には、ディスプレイ等に表示されている地図の表示範囲を表す緯度経度や座標であり、地図の表示範囲が四角形であれば、その４隅の緯度経度や座標である。
【００４２】
地図閲覧端末１００−４は、デフォルメ地図取得要求を作成装置３００に送信して、作成装置３００に記憶されているデフォルメ地図を取得し、ディスプレイ等の出力手段（図示せず）に表示する。具体的には、地図閲覧端末１００−４のユーザがデフォルメ地図が添付されたＷｅｂページを閲覧しようとすると、地図閲覧端末１００−４は、デフォルメ地図取得要求を作成装置３００に行い、作成装置３００に記憶されているデフォルメ地図を取得し、Ｗｅｂページにデフォルメ地図が添付されてディスプレイ等に表示する。
【００４３】
作成装置３００は、地図デフォルメパターンをユーザ間で共有させる機能を有する共有制御手段３０１と、ユーザにて指示された地図デフォルメパターンと部分地図の情報とに基づいてデフォルメ地図を作成し、提供する機能を有する作成制御手段３０２とを備える。共有制御手段３０１は、地図デフォルメパターン共有装置２００の各手段を備える。作成制御手段３０２は、地図選択受信手段３１０、パターン選択受信手段３１１、デフォルメ地図作成手段３１２、地図要求受信手段３１３、地図取得手段３１４、地図送信手段３１５、地図情報記憶手段３３０及びデフォルメ地図記憶手段３４０を備える。
【００４４】
地図選択受信手段３１０は、事業者端末１００−３からデフォルメ地図を作成する部分地図の地図情報を受信し、部分地図の地図情報をパターン選択受信手段３１１を介して、デフォルメ地図作成手段３１２へ送信する。地図選択受信手段３１０は、部分地図の地図情報とあわせて、事業者端末１００−３を有する事業者の事業者識別情報として事業者ＩＤを受信し、パターン選択受信手段３１１を介して、デフォルメ地図作成手段３１２へ送信する。なお、部分地図の地図情報及び事業者ＩＤをパターン選択受信手段３１１を介して受信し、部分地図の地図情報をデフォルメ地図作成手段３１２へ直接送信してもよい。
【００４５】
パターン選択受信手段３１１は、地図選択受信手段３１０を介して事業者端末１００−３のユーザが選択した地図デフォルメパターンのパターンＩＤを受信し、デフォルメ地図作成手段３１２へ送信する。なお、パターンＩＤを事業者端末１００−３から直接受信し、地図選択受信手段３１０を介してデフォルメ地図作成手段３１２へ送信してもよい。
【００４６】
デフォルメ地図作成手段３１２は、地図選択受信手段３１０から取得した部分地図の地図情報に基づいて、地図情報記憶手段３３０から部分地図を構成する地図構成要素の情報を取得し、パターン選択受信手段３１１から受信したパターンＩＤに基づいて、デフォルメパターン記憶手段２２０から地図デフォルメパターンを取得する。そして、取得した部分地図を構成する地図構成要素の情報から地図デフォルメパターンにて指定された地図構成要素の情報を削除して、デフォルメ地図を作成する。
【００４７】
また、デフォルメ地図作成手段３１２は、作成したデフォルメ地図を識別するために発行した地図ＩＤに関連付けて、取得した部分地図の地図情報と、取得したパターンＩＤと、作成したデフォルメ地図と、事業者ＩＤとを、デフォルメ地図記憶手段３４０に登録する。
【００４８】
地図要求受信手段３１３は、地図閲覧端末１００−４から地図取得要求を受信し、地図取得要求を地図取得手段３１４に送信する。地図取得要求には、取得するデフォルメ地図を特定する情報である地図ＩＤが含まれている。地図取得手段３１４は、地図要求受信手段３１３から受信した地図取得要求に含まれる取得するデフォルメ地図を特定する情報に基づいて、デフォルメ地図記憶手段３４０からデフォルメ地図を取得する。地図送信手段３１５は、地図取得手段３１４にて取得したデフォルメ地図を地図閲覧端末１００−４へ送信する。
【００４９】
地図情報記憶手段３３０に格納される地図情報テーブルは、地図構成要素である建物や道路等の情報を格納している。具体的には、地図中に存在する建物等を示す図形の位置情報や形状情報、その図形に付与されている属性及び道路のネットワークをあらわすリンク並びにノードデータを格納している。地図情報テーブルは専用に作成した情報ではなく、地図検索サイト用やナビゲーションシステム用等に用いるために作成された一般的な情報であって構わない。地図中に存在する建物等を示す図形に付与されている属性には、ＡビルやＢ公園といったその図形の名称や、飲食店や駅といったその図形の種別等が含まれる。
【００５０】
図５は、本発明の第２実施形態に係るデフォルメ地図記憶手段３４０に格納されるデフォルメ地図テーブルの一例を示す図である。デフォルメ地図テーブルは、デフォルメ地図作成手段３１２にて作成されたデフォルメ地図に関する情報を格納する。具体的には、デフォルメ地図テーブルは、地図ＩＤ欄３４１ａと、事業者ＩＤ欄３４１ｂと、部分地図欄３４１ｃと、パターンＩＤ欄３４１ｄと、デフォルメ地図欄３４１ｅとを有する。
【００５１】
地図ＩＤ欄３４１ａには、デフォルメ地図を一意に特定する記号である地図ＩＤを格納する。地図ＩＤは、Ｗｅｂサイト等にデフォルメ地図を添付する際に使用される。事業者ＩＤ欄３４１ｂには、デフォルメ地図を作成した事業者ＩＤを格納する。部分地図欄３４１ｃには、デフォルメ地図の元となった部分地図の地図情報が格納される。図５においては、部分地図の地図情報として、四角形の部分地図の４隅の緯度経度が格納されている。パターンＩＤ欄３４１ｄには、デフォルメ地図を作成する際に用いた地図デフォルメパターンのパターンＩＤが格納される。デフォルメ地図欄３４１ｅには、デフォルメ地図作成手段３１２にて作成されたデフォルメ地図が格納される。デフォルメ地図の元である部分地図とパターンＩＤとを事業者ＩＤと対応付けておくことで、事業者が新たにデフォルメ地図を作成する際に、以前に用いたデフォルメパターンを知ることができる。
【００５２】
図６は、本発明の第２実施形態に係るデフォルメ地図作成登録処理のフローチャートである。
Ｓ２００：地図選択受信手段３１０は、事業者端末１００−３にて選択された部分地図の地図情報を受信する。
Ｓ２１０：パターン選択受信手段３１１は、事業者端末１００−３にて選択された地図デフォルメパターンのパターンＩＤを受信する。事業者端末１００−３のユーザは、提供手段２１４から提供された地図デフォルメパターンの中から、使用する地図デフォルメパターンを選択する。
【００５３】
Ｓ２２０：デフォルメ地図作成手段３１２は、Ｓ２００で受信した部分地図の地図情報とＳ２１０で受信したパターンＩＤとに基づいてデフォルメ地図を作成する。デフォルメ地図作成処理についての詳細は後述する。
Ｓ２３０：デフォルメ地図作成手段３１２は、Ｓ２２０にて作成されたデフォルメ地図を識別するために発行された地図ＩＤに関連付けてデフォルメ地図と、それに関する情報とをデフォルメ地図記憶手段３４０に登録し、処理は終了する。それに関する情報とは、具体的には、地図ＩＤと、事業者ＩＤと、部分地図の地図情報と、パターンＩＤと、デフォルメ地図とである。
【００５４】
図７は、本発明の第２実施形態に係るデフォルメ地図作成処理のフローチャートである。
Ｓ３００：デフォルメ地図作成手段３１２は、地図選択受信手段３１０から受信した部分地図の地図情報に基づいて、地図情報記憶手段３３０から部分地図の地図構成要素の情報を取得する。
Ｓ３１０：デフォルメ地図作成手段３１２は、パターン選択受信手段３１１から受信したパターンＩＤに基づいて、デフォルメパターン記憶手段２２０から地図デフォルメパターンを取得する。
【００５５】
Ｓ３２０：デフォルメ地図作成手段３１２は、Ｓ３１０にて取得した地図デフォルメパターンに基づいて、Ｓ３００にて取得した部分地図の地図構成要素の情報からデフォルメ地図を構成する情報を抽出する。具体的には、部分地図の地図構成要素の情報から、デフォルメパターンに定義されているデフォルメ地図の地図構成要素を抽出する。例えば、デフォルメパターンが、名称に「歯科」を含む建物情報と道路情報となっている場合には、部分地図の地図構成要素の情報から、名称に「歯科」を含む建物情報と道路情報とを抽出する。
【００５６】
Ｓ３３０：デフォルメ地図作成手段３１２は、Ｓ３２０にて抽出した情報に基づいて、デフォルメ地図を作成する。なお、部分地図に比べデフォルメ地図が小さくなった場合にはデフォルメ地図の拡大を行うことや、表示文字数に応じて表示文字のサイズの拡大や縮小を行うこと等、デフォルメ地図をユーザが見やすいように編集してもよい。
【００５７】
以上の説明から明らかなように、必要な地図構成要素を残した、言い換えると、不要な地図構成要素を削除した経路案内図、観光案内図、タウンマップ、各種の略図といった様々なデフォルメ地図を作成できる。また、事業者が指定した部分地図と、事業者が選択した地図デフォルメパターンとに基づいてデフォルメ地図を作成することができる。つまり、事業者のニーズに応じて、任意の地図に対して任意の地図デフォルメパターンを適用したデフォルメ地図を提供することができる。
【００５８】
従来、事業者は自己のニーズにあった地図をＷｅｂサイト等に添付するために作成しなければならないという不便や、Ｗｅｂサイト等に添付する地図を地図検索サイトから取得した必要な部分の部分地図とすると不要な情報が含まれるために閲覧者にとって見にくいという問題点があった。しかし、以上の説明から明らかなように、事業者は自己のＷｅｂサイト等に添付する地図を、容易に自己のニーズに合わせて作成することができ、従来の不便や問題点が解消される。
【００５９】
図８は、本発明の第２実施形態に係るデフォルメ地図取得処理のフローチャートである。
Ｓ４００：地図要求受信手段３１３は、地図閲覧端末１００−４のユーザからのデフォルメ地図取得要求を受信する。ここでは、地図閲覧端末１００−４のユーザが閲覧するＷｅｂサイトにデフォルメ地図が添付されており、Ｗｅｂサイトにはデフォルメ地図名が記載されているとする。この場合には、デフォルメ地図取得要求には、デフォルメ地図名が含まれている。
【００６０】
Ｓ４１０：地図取得手段３１４は、Ｓ４００で受信したデフォルメ地図取得要求に基づいて、デフォルメ地図記憶手段３４０からデフォルメ地図を取得する。具体的には、デフォルメ地図名に基づいて、デフォルメ地図を取得する。
Ｓ４２０：地図送信手段３１５は、Ｓ４１０にて取得したデフォルメ地図を地図閲覧端末１００−４へ送信し、処理を終了する。地図閲覧端末１００−４に送信されたデフォルメ地図は、Ｗｅｂサイトに添付されてディスプレイ等の出力手段を介してユーザに提示される。
【００６１】
［実施例１］
図９は、本発明の第２実施形態に係る経路案内に関するデフォルメ地図例を示す図である。図９（ａ）は経路案内図である。図９（ｂ）は、図９（ａ）の経路案内図に基づいて作成されたデフォルメ地図である。図９（ａ）は、通常、地図検索サイト等にて経路検索を行った際に、提供される経路案内図である。この図に、「出発点から到達点までの経路及び経路沿いの建物以外は削除」と定義された削除パターンを適用し、出発点から到達点までの経路及び経路沿いの建物以外の地図構成要素を削除した図が図９（ｂ）である。このように、経路案内図において必要な情報以外を削除することによって作成されたデフォルメ地図をユーザに提供することにより、ユーザに見やすい経路案内図を提供することができる。
【００６２】
［実施例２］
図１０は、本発明の第２実施形態に係るタウンマップに関するデフォルメ地図例を示す図である。図１０（ａ）はタウンマップである。図１０（ｂ）は、図１０（ａ）のタウンマップに基づいて作成されたデフォルメ地図である。図１０（ａ）は、通常、地図検索サイト等にてエリアを指定して検索を行った際に、提供されるタウンマップである。この図に、「名称に「銀行」が含まれる建物以外は削除」と定義された削除パターンを適用し、名称に「銀行」が含まれる建物以外の地図構成要素を削除した図が図１０（ｂ）である。このように、タウンマップにおいて必要な情報以外を削除することによって作成されたデフォルメ地図をユーザに提供することにより、ユーザは必要な情報のみが表示された地図を得ることができる。また、通常の地図から、特定の情報に特化した地図、例えば、ラーメン店のみが表示されたラーメンマップや、バスの路線に関する情報のみが表示されたバス運行マップ等を容易に作成することができる。
【００６３】
［地図デフォルメパターン共有装置２００及びデフォルメ地図作成装置３００のハードウェア構成］
図１１は、本発明の各実施形態に係る地図デフォルメパターン共有装置２００及びデフォルメ地図作成装置３００のハードウェア構成を示す図である。本発明が実施される装置は標準的なものでよく、以下に構成の一例を示す。なお、地図デフォルメパターン共有装置２００及びデフォルメ地図作成装置３００を、コンピュータを典型とする情報処理装置１０００として全般的な構成を説明する。
【００６４】
情報処理装置１０００は、制御部１３００を構成するＣＰＵ（Ｃｅｎｔｒａｌ  Ｐｒｏｃｅｓｓｉｎｇ  Ｕｎｉｔ）１３１０（マルチプロセッサ構成ではＣＰＵ１３２０等複数のＣＰＵが追加されてもよい）、バスライン１２００、通信Ｉ／Ｆ（Ｉ／Ｆ：インターフェイス）１３３０、メインメモリ１３４０、ＢＩＯＳ（Ｂａｓｉｃ  Ｉｎｐｕｔ  Ｏｕｔｐｕｔ  Ｓｙｓｔｅｍ）１３５０、表示装置１３６０、Ｉ／Ｏコントローラ１３７０、キーボード及びマウス等の入力装置１３８０、ハードディスク１３９０、光ディスクドライブ１４００並びに半導体メモリ１４２０を備える。なお、ハードディスク１３９０、光ディスクドライブ１４００及び半導体メモリ１４２０はまとめて記憶装置１４３０と呼ぶ。
【００６５】
制御部１３００は、情報処理装置１０００を統括的に制御する部分であり、ハードディスク１３９０に記憶された各種プログラムを適宜読み出して実行することにより、上述したハードウェアと協働し、本発明に係る各種機能を実現している。
【００６６】
通信Ｉ／Ｆ１３３０は、情報処理装置１０００が、通信回線を介して情報を送受信する場合のネットワーク・アダプタである。通信Ｉ／Ｆ１３３０は、モデム、ケーブル・モデム及びイーサネット（登録商標）・アダプタを含んでよい。
【００６７】
ＢＩＯＳ１３５０は、情報処理装置１０００の起動時にＣＰＵ１３１０が実行するブートプログラムや、情報処理装置１０００のハードウェアに依存するプログラム等を記録する。
【００６８】
表示装置１３６０は、ブラウン管表示装置（ＣＲＴ）、液晶表示装置（ＬＣＤ）等のディスプレイ装置を含む。
【００６９】
Ｉ／Ｏコントローラ１３７０には、ハードディスク１３９０、光ディスクドライブ１４００及び半導体メモリ１４２０等の記憶装置１４３０を接続することができる。
【００７０】
入力装置１３８０は、情報処理装置１０００のユーザによる入力の受け付けを行うものである。
【００７１】
ハードディスク１３９０は、本ハードウェアを情報処理装置１０００として機能させるための各種プログラム、本発明の機能を実行するプログラム及び前述したテーブルを記憶する。なお、情報処理装置１０００は、外部に別途設けたハードディスク（図示せず）を外部記憶装置として利用することもできる。
【００７２】
光ディスクドライブ１４００としては、例えば、ＤＶＤ−ＲＯＭドライブ、ＣＤ−ＲＯＭドライブ、ＤＶＤ−ＲＡＭドライブ及びＣＤ−ＲＡＭドライブを使用することができる。この場合は各ドライブに対応した光ディスク１４１０を使用する。光ディスク１４１０から光ディスクドライブ１４００によりプログラム又はデータを読み取り、Ｉ／Ｏコントローラ１３７０を介してメインメモリ１３４０又はハードディスク１３９０に提供することもできる。
【００７３】
なお、本発明でいうコンピュータとは、記憶装置、制御部等を備えた情報処理装置をいい、情報処理装置１０００は、記憶装置１４３０、制御部１３００等を備えた情報処理装置により構成され、この情報処理装置は、本発明のコンピュータの概念に含まれる。
【００７４】
地図デフォルメパターン共有装置２００及びデフォルメ地図作成装置３００の各手段は、制御部１３００によってプログラムが実行されることで実現される。デフォルメパターン記憶手段２２０、地図情報記憶手段３３０及びデフォルメ地図記憶手段３４０は、主としてハードディスク１３９０に実装されるが、既に述べたように、他の記憶装置を用いてもよい。
【００７５】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００７６】
【図１】本発明の第１実施形態に係る地図デフォルメパターン共有装置を示す概略図である。
【図２】本発明の各実施形態に係るデフォルメパターン記憶手段に格納されるデフォルメパターンテーブルの一例を示す図である。
【図３】本発明の第１実施形態に係る地図デフォルメパターン登録・取得処理のフローチャートである。
【図４】本発明の第２実施形態に係るデフォルメ地図作成装置を示す概略図である。
【図５】本発明の第２実施形態に係るデフォルメ地図記憶手段に格納されるデフォルメ地図テーブルの一例を示す図である。
【図６】本発明の第２実施形態に係るデフォルメ地図作成登録処理のフローチャートである。
【図７】本発明の第２実施形態に係るデフォルメ地図作成処理のフローチャートである。
【図８】本発明の第２実施形態に係るデフォルメ地図取得処理のフローチャートである。
【図９】本発明の第２実施形態に係る経路案内に関するデフォルメ地図例を示す図である。
【図１０】本発明の第２実施形態に係るタウンマップに関するデフォルメ地図例を示す図である。
【図１１】本発明の各実施形態に係る地図デフォルメパターン共有装置及びデフォルメ地図作成装置のハードウェア構成を示す図である。
【符号の説明】
【００７７】
１００−１  パターン作成端末
１００−２  パターン利用端末
１００−３  事業者端末
１００−４  地図閲覧端末
２００      地図デフォルメパターン共有装置
２１０      パターン受信手段
２１１      パターン登録手段
２１２      要求受信手段
２１３      パターン取得手段
２１４      提供手段
２２０      デフォルメパターン記憶手段
３００      デフォルメ地図作成装置
３０１      共有制御手段
３０２      作成制御手段
３１０      地図選択受信手段
３１１      パターン選択受信手段
３１２      デフォルメ地図作成手段
３１３      地図要求受信手段
３１４      地図取得手段
３１５      地図送信手段
３３０      地図情報記憶手段
３４０      デフォルメ地図記憶手段
【手続補正３】
【補正対象書類名】図面
【補正対象項目名】図２
【補正方法】変更
【補正の内容】
【図２】
2010044302.tif 000014
【手続補正４】
【補正対象書類名】図面
【補正対象項目名】図７
【補正方法】変更
【補正の内容】
【図７】
2010044302.tif 000015